【事件の表示】
　特許第２７９２７３４号「履物用使い捨てカイロ」特許請求の範囲【請求項１〜６】に係る発明の特許に対する特許異議の申立てについて、次のとおり決定する。
【結　論】
　特許第２７９２７３４号の請求項１ないし６に係る特許を取り消す。
【理　由】
１．　本件は、特許第２７９２７３４号に関し、その特許請求の範囲【請求項１〜６】に係る発明につき受けた特許につき、全部に亘って、取り消しを請求して提起されたところの特許異議申立事件に存する。
２．　本件の手続きの経緯の概要は、以下のとおりである。
１）　出　願　日：平成５年１２月２８日
２）　登　録　日：平成１０年６月１９日
３）　公　　　報：平成１０年９月３日　本件特許公報発行
４）　異議の申立：平成１１年３月３日　特許異議申立人株式会社ニッテツ　　　　　　　　　・ファイン・プロダクツより特許異議申立書提出
５）　取消の理由：平成１１年５月１８日付けで当審より取消理由を通知
６）　訂正請求等：平成１１年７月２３日付けを以て特許権者から訂正請求　　　　　　　　　書と意見書を提出
７）  訂正拒絶理由：平成１２年６月２８日訂正拒絶理由の通知　　　　　
８）  訂正請求の補正：平成１２年９月７日手続補正
３．　訂正請求の補正の適否の判断
　そこで、先ず、上記手続補正が、適法であるか否かにつき審案する。
（１）　前記手続補正の内容は、
　先の訂正請求において、特許請求の範囲の減縮を目的として訂正を請求したところの、
　”「特許公報に記載の特許請求の範囲【請求項１〜６】」
を、
　「【請求項１】通気性の収納袋内に空気の存在下で発熱する発熱性組成物が収容されており、前記収納袋が気密性袋内に封入されてなる履物用使い捨てカイロであって、前記収納袋の表面のうち、足の裏が当たる履物の内表面に接する片面全部に滑り止め層が形成されており、該滑り止め層が、収納袋の素材の表面に樹脂やエラストマーの溶液または分散液、あるいはプラスチゾルを水玉模様に塗布し、乾燥させたものからなることを特徴とする履物用使い捨てカイロ。
　【請求項２】　前記収納袋のうち滑り止め層が形成される面が、ポリエステル、ナイロン、ポリエチレンまたはポリプロピレン製のフィルムからなり、該フィルム上に、滑り止め層が形成されてなる請求項１記載の履物用使い捨てカイロ。
　【請求項３】　前記収納袋のうち滑り止め層が形成される面が、ポリエステル、ポリエチレンまたはポリプロピレン製のフィルムと織布、不織布または紙との積層体からなり、収納袋の外側層となる前記織布、不織布または紙に、滑り止め層が形成されてなる請求項１記載の履物用使い捨てカイロ。
　【請求項４】　通気性の収納袋内に空気の存在下で発熱する発熱性組成物が収容されており、前記収納袋が気密性袋内に封入されてなる履物用使い捨てカイロであって、前記収納袋の表面のうち、足の裏が当たる履物の内表面に接する片面全部に滑り止め層が形成されており、該滑り止め層が、収納袋の素材の表面に粒状のホットメルト接着剤または軟質塩化ビニル樹脂を均一に散布し、熱を加えて定着せしめた多数の突起からなることを特徴とする履物用使い捨てカイロ。
 　【請求項５】　前記収納袋のうち滑り止め層が形成される面が、ポリエステル、ナイロン、ポリエチレンまたはポリプロピレン製のフィルムからなり、該フィルム上に、滑り止め層が形成されてなる請求項４記載の履物用使い捨てカイロ。
　【請求項６】　前記収納袋のうち滑り止め層が形成される面が、ポリエステル、ポリエチレンまたはポリプロピレン製のフィルムと織布、不織布または紙との積層体からなり、収納袋の外側層となる前記織布、不織布または紙に、滑り止め層が形成されてなる請求項４記載の履物用使い捨てカイロ。」に、
訂正請求する”という
訂正事項を、
　同じく、”「特許公報に記載の特許請求の範囲【請求項１〜６】」
を、　
　『 【請求項１】　通気性の収納袋内に空気の存在下で発熱する発熱性組成物が収容されており、前記収納袋が気密性袋内に封入されてなる履物用使い捨てカイロであって、前記収納袋の表面のうち、足の裏が当たる履物の内表面に接する片面全部に滑り止め層が形成されており、該滑り止め層が、収納袋の素材の表面にエチレン−アクリル酸共重合体またはエチレンアクリル酸共重合体を主体とする粒状のホットメルト接着剤を均一に散布し、熱を加えて定着せしめた多数の突起からなることを特徴とする履物用使い捨てカイロ。
　　　【請求項２】　前記収納袋のうち滑り止め層が形成される面が、ポリエステル、ナイロン、ポリエチレンまたはポリプロピレン製のフィルムからなり、該フィルム上に、滑り止め層が形成されてなる請求項１記載の履物用使い捨てカイロ。
　　　【請求項３】　前記収納袋のうち滑り止め層が形成される面が、ポリエステル、ポリエチレンまたはポリプロピレン製のフィルムと織布、不織布または紙との積層体からなり、収納袋の外側層となる前記織布、不織布または紙に、滑り止め層が形成されてなる請求項１記載の履物用使い捨てカイロ。』に、
訂正請求する”
と、補正しようとするものである。
（２）　そうすると、上記手続補正の内容は訂正請求における訂正事項の内容である、特許時の特許請求の範囲の減縮を目的としてされた訂正後の【請求項１〜６】を、別異の【請求項１〜３】に補正しようとする内容のものであり、訂正事項の内容を実質上変更するものであるから、訂正請求書の要旨を変更するものという外はない。
　したがって、上記手続補正は、特許法第１２０条の４第３項の規定において準用する同法第１３１条第２項の規定の趣意に反するので、容認することができない。
４．　訂正請求の適法性の判断
ｉ）．　平成１１年７月２３日付け訂正請求書によって訂正された明細書の特許請求の範囲【請求項１〜６】に係る発明は、前掲３．の（１）のとおりの内容のものである。
ｉｉ）．　　引用文献
１）　第１引用例：「特開昭５９−１８５９４２号公報」（甲第１号証）
２）　第２引用例：「実公平５−４６４４３号公報」（甲第２号証）
３）　第３引用例：「特開平５−１１５３１０号公報」（甲第３号証）
４）　第４引用例：「特公平５−５６９１１号公報」（甲第４号証）
５）　第５引用例：「特開平２−１３１７６０号公報」
６）　第６引用例：「実願平１−９０６２９号（実開平３−２９１１９号公報）のマイクロフィルム」
ｉｉｉ）．　引用例の記載　
１）　「第１引用例」には、以下の事項が、図面と共に記載されている。
イ）　「使い捨てカイロの袋体１外面に、……………滑り落ちる事を防ぐ様加工する事を特徴とする使い捨てカイロ。」（特許請求の範囲の項）
ロ）　「従来使い捨てカイロは、………発熱混合物等３を入れた構造を有し、」（公報１頁左欄下から４行目〜末行） 
ハ）　「滑り止め加工の方法は、滑りの悪い、合成樹脂、天然ゴム、合成ゴム等又は、起毛した布、不織布、マジックテープ、付着性加工をした布地等を用い、全面又は、点々、帯状、突起状等に、塗り、印刷、貼り付け又は、点々と付着せしめたりする事により行うことができる。」（公報第１頁右欄９行〜１４行目）
ニ）　「したがって、本発明により、このような滑り止め加工２をした使い捨てカイロは、動いての使用や、子供の使用においても、着衣の間、肌着の間、ポケット等に装着していて、滑り落ちるようなことがなく、又、位置がずれることがない為暖めたい部位を正確に暖めることができ安心して大変便利に使い捨てカイロを使用する事ができる。」（公報第１頁右欄１５行〜第２頁左欄２行目）
ホ）　「２は、滑り止め加工（合成樹脂性の突起）」（公報第２頁第７行目）
２）　「第２引用例」には、以下の事項が、図面と共に、記載されている。
イ）　 「通気性内袋内に ………内袋を気密性外袋内に封入してなる発熱体であって、」（実用新案登録請求の範囲の項前段）
３）　「第３引用例」には、以下の事項が、図面と共に、記載されている。
イ）　「靴の中敷の表面部分のうち、…………靴の加温中敷。」（【請求項１】の項）
４）　「第４引用例」には、以下の事項が、図面と共に、記載されている。
イ）　「熱可塑性樹脂の連続フィラメントからなるウェブと……………発熱性保温袋。」（特許請求の範囲の欄第１項の記載）
ロ）　「本発明に用いられる熱可塑性樹脂フィルムとしては、……例えば、ポリエチレン、ポリプロピレン、ナイロン、ポリエステル………等の積層フィルムなどが用いられる。」（公報第２頁右欄３４行〜第３頁左欄第１行目）   　　
５）　「第５引用例」には、以下の事項が、図面とともに記載されている。
イ）　「粘着剤３としては上述したように靴などの内面に接着することにより内面を汚損するようなことが好ましくないことは当然であり、このような不利を避けるためには非転着性粘着剤３を採用し、この非転着性粘着剤層３としてはゴム系、アクリル系、酢酸ビニル系などの有機溶剤型、もしくは水性型などの粘着剤を用い、これに反応性官能基を導入して内部凝集力を高めたものであり、例えばアクリル系モノマーに対し官能性モノマーを１〜１０重量％混入したものを採用する。」（公報第３頁上段右欄５行〜１４行目）
ロ）　「上記したような本発明による力イロを具体的に製造するには粘着剤３に対し剥離紙（図示せず）が接着され、断熱材４の接着されていない状態のカイロを一旦製作し、このようにして得られたものの剥離紙を除去してから穿孔５を有する断熱材４を接着することが一般的な使いすてカイロ製造設備で本発明品を製造するのに適している。」（公報第３頁下段左欄４行〜１０行目）
（６）　「第６引用例」には、以下の事項が、図面とともに記載されている。
イ）　「粘着剤層は袋の片面の全面または部分的に設けられるが、部分的に設ける場合には主に周辺部に設けることが好ましく、発熱袋を履物内に貼り付けて使用中に位置がずれたり、剥がれたりしない強度を有するものであり、通常は袋の片面の全面積に対して３０％以上、好ましくは５０％以上である。」（明細書第５頁８行〜１４行目）
ロ）　「本考案の履物用発熱袋は通常は、靴、サンダル、スリッパなどの履物内の底の足先側、土踏まず部、足先側上壁などに貼り付けて使用されるが、所望によっては足の裏や足の甲など被保温部側に直接あるいは靴下などを介して貼り付けて使用することもできる。」（明細書第６頁３行〜８行目）
ｉｖ）．　　　対比・判断
ａ）　本件訂正後の【請求項１】に係る発明について　
  第１引用例に記載の「発熱体、発熱混合物等３」及び「不織布、紙、合成樹脂シート、布等に合成樹脂をラミネートした使い捨てカイロの袋体」は、機能と構成に徴し、本件訂正後の【請求項１】に係る発明の「空気の存在下で発熱する発熱性組成物」及び「通気性収納袋」に、それぞれ、相当していると捉えられる。
　また、第１引用例に記載されている「滑り止め加工の方法は、滑りの悪い、合成樹脂、天然ゴム、合成ゴム等又は、起毛した布、不織布、マジックテープ、付着性加工をした布地等を用い」にみられるとおり、その「合成樹脂」は、本件訂正後の【請求項１】に記載の「樹脂」あるいは「プラスチゾル」を包括し、その「合成ゴム」は、本件訂正後の【請求項１】に記載の「エラストマーの溶液または分散液」を包括するものであり、勿論滑り止め層として供するときは、塗布し（「塗り」が、相当）、乾燥させたものとなるものというべきものである。
　さらに、滑り止め層に関し、第１引用例に記載の「全面又は、点々、帯状、突起状等に、塗り、印刷、貼り付け又は、点々と付着せしめたりする事により行うことができる。」にみられるとおり、その「点々に塗り、」及び「点々と付着せしめたりする」は、本件【請求項１】に記載の「水玉模様に、（塗布し、乾燥させ）」を、包括しているというべきである。
　またさらに、第１引用例に記載の第１図、及び第２図の態様からみて、滑り止め層は、「収納袋の表面のうち片面全部に形成されており、」を実現しているものである。
　むろん、第１引用例に記載の「使い捨てカイロ」は、本件訂正後の【請求項１】に記載の「使い捨てカイロ」と、全く同義である。
　上記のとおりであるから、第１引用例には、本件訂正後の【請求項１】に係る発明との関連で技術的事項を抽象すると、以下の事項が開示されているというべきであり、これが、本件訂正後の【請求項１】に係る発明と、第１引用例に記載された発明との一致点である。
　『通気性の収納袋内に空気の存在下で発熱する発熱性組成物が収容されており、前記収納袋の表面のうち、片面全部に滑り止め層が形成されており、該滑り止め層が、収納袋の素材の表面に樹脂やエラストマーの溶液または分散液、あるいはプラスチゾルを水玉模様に塗布し、乾燥させたものからなる使い捨てカイロ。』
　　しかして、本件訂正後の【請求項１】に係る発明と第１引用例に開示の発明は、以下の点で、相違する。  
　［相違点］　
（１）　本件訂正後の【請求項１】に係る発明は、気密性袋内に収納袋を封入するものであるのに対して、第１引用例に記載の発明は、気密袋を具えないものである点、
（２）　本件訂正後の【請求項１】に係る発明は、「履物用」と明確に特定をしているのに対して、第１引用例に記載の発明は、履物用という用途の特定は、定かではない点、
（３）　本件訂正後の【請求項１】に係る発明は、さらに、「（袋の）表面のうち、足の裏が当たる履物の内表面に接する片面全部に（滑り止め層が形成され）」てなるのに対して、第１引用例のものでは、然様になっていない点。
   そこで、これ等の相違点につき、審案する。
１）　相違点（１）について
　一般に、収用すべき内容物入りの通気性等を具える袋を更に、気密性袋内に収用することは、包装技術において、普遍的に実践されている事項というべきある。
　その上、発熱性組成物入り通気性収納袋を気密性袋に収納する技術は、この出願前、斯界において、普通に行われている事項というべきである（例えば、前掲第２引用例に記載の発明「気密性外袋」、参照）。
　それ故、この点は、周知技術の付加の域を出ないものという外はない。
２）　相違点（２）について
　カイロを、履物用に供してなるものは、斯界において、普通に知悉されており｛例えば、第３引用例、第５引用例及び第６引用例の記載、参照｝、斯かる履物用カイロにおいて、その滑りを避止すべき要請は、他の装身カイロ同様均並に当てはまるものである。
　したがって、本件訂正後の【請求項１】に係る発明が、第１引用例に記載の発明を、履物に供用しようとした点は、単なる用途の特定の域を出ないものというべきである。
３）　相違点（３）について
　ところで、「（袋の）表面のうち、足の裏が当たる履物の内表面に接する片面全部に（滑り止め層が形成され）」てなる技術は、前掲第５引用例及び第６引用例に挙示の刊行物に記載の発明によって例証される如く、業界知悉の技術的事項である。　また、滑り止め層を、カイロの如何なる部分に如何様に形成せしめるかは、単なる設計的事項であるに過ぎないことでもある。
　したがって、この点は、当業者が随時遂行し得る技術的範疇を出ず、よってもたらされる効用も当業者当然予測の域を出ないものというべきである。
　以上のとおりであるから、結局、本件訂正後の【請求項１】に係る発明は、この出願前日本国内において頒布された刊行物である第１〜第３の各引用例並びに第５引用例及び第６引用例に記載された発明に基づいて、当業者が、容易に想到することができたものというべきである。
ｂ）　本件訂正後の【請求項２】に係る発明について
　本件訂正後の【請求項２】にかかる発明は、『収納袋のうち滑り止め層が形成される面が、ポリエステル、ナイロン、ポリエチレン、またはポリプロピレン製のフィルムからなり、該フィルム上に、滑り止め層が形成されてなる』こととした点で、訂正後の【請求項１】に係る発明の収納袋の素材と構成を特定したものである。
　ところで、発熱性組成物を収納する収納袋を構成する熱可塑性合成樹脂フィルムを、「例えば、ポリエステル、ナイロン、ポリエチレン、またはポリプロピレン製の」ものを以て充当してなるものは、前掲「第４引用例」に記載の発明に例証される如く、斯界において、知悉されているところである。
　なお、本件訂正後の【請求項２】に係る発明のフィルム以外のその余の構成部分については、悉く上記訂正後の【請求項１】に係る発明と同旨であるところ、前掲訂正後の【請求項１】に係る発明についての審案過程での判断が、基本的に、本件訂正後の【請求項２】に係る発明についてもあてはまるものである。
  何故ならば、本件訂正請求後の【請求項２】に係る発明が特定するフィルムは、熱可塑性合成樹脂として極めて普遍的・一般的に使用されているところ、訂正後の請求項１に係る発明の収納袋の滑り止め層面たる収納袋面の素材に、第４引用例に記載された発明に倣って、ポリエステル等所要の如く特定した熱可塑性合成樹脂を以て充当した点は、当業者予測可能性の域を出ないものといってしかるべきであるからである。
　したがって、訂正後の【請求項２】に係る発明は、この出願前日本国内において頒布された刊行物である第１〜第６の各引用例に記載された発明に基づいて、当業者が容易に想到することを得たものというべきである。
ｃ）　　本件訂正後の【請求項３】に係る発明について
 　本件訂正後の【請求項３】に係る発明は、前記訂正後の【請求項１】に係る発明に、更に、「収納袋のうち滑り止め層が形成される面が、ポリエステル、ポリエチレンまたはポリプロピレン製のフィルムと織布、不織布または紙との積層体からなり、収納袋の外側層となる前記織布、不織布または紙に、滑り止め層が形成されてなる」ことを特定するものである。
　しかしながら、斯かる技術的事項は、第１引用例に記載されているところの、
　「使い捨てカイロは、不織布、紙、合成樹脂シート、布等に、合成樹脂をラミネートした袋体１（に、発熱体、発熱混合物第３を入れた構造を有し、）」（第１頁左欄下から４行〜末行）にみられるとおり、夙に、斯界において普通に知られている事項というべきである。
　更に、前後するが、訂正後の【請求項３】に係る発明が、収納袋の素材を「ポリエステル、ポリエチレン、またはポリプロピレン製のフィルム」と特定した点は、斯かる樹脂素材のフィルムを以てカイロ収納袋に供用してなる前掲第４引用例に開示の事項にみられるとおり斯界において知悉された技術である。
　 したがって、本件訂正請求後の【請求項３】に係る発明は、前記第１〜第６の各引用例に記載された発明に基づいて、当業者が、容易に想到することができたものというべきである。
ｄ）　本件訂正後の【請求項４】に係る発明について
 　本件訂正後の【請求項４】の冒頭の「通気性の収納袋内に空気の存在下で発熱する発熱性組成物が収容されており、前記収納袋が気密性袋内に封入されてなる履物用使い捨てカイロであって、前記収納袋の表面のうち、足の裏が当たる履物の内表面に接する片面全部に滑り止め層が形成されており、該滑り止め層が、収納袋の素材の表面に」の記載は、訂正後の【請求項１】の記載と悉く共通する部分である。
　つまり、本件訂正後の【請求項４】に係る発明は、本件訂正後の【請求項１】に係る発明の滑り止め層の形成につき、その水玉模様の塗布に代えて、「粒状のホットメルト接着剤または軟質塩化ビニル樹脂を均一に散布し、熱を加えて定着せしめた多数の突起からなる」としたものである。
　ところで、滑り止め層の形成につき、「多数の突起からなる」とした点についても、第１引用例に記載の発明が包括する技術概念である｛第１引用例に記載の部材２は、自体「合成樹脂性の突起」（第１引用例第２頁左欄第７行目括弧書）でもある。｝。
　そして、この「多数の突起」の形成が、第１引用例に記載の「合成樹脂による、点々と付着せしめたりする事」（第１引用例１頁右欄９〜１４行）のうちに、その「合成樹脂」が、可塑剤を多く伴う周知の塩化ビニルとあらば、本件訂正後の請求項４の「軟質塩化ビニル樹脂」｛「軟質塩化ビニル」自体は、普通に知られている（必要なら、１例として、昭和５０年１月２０日（株）プラスチックス・エージ発行「実用プラスチック用語辞典」第３５７頁右欄〜第３５８頁左欄参照）｝の供用であり得るし、同じく第１引用例に記載の「点々付着」が、本訂正後の請求項４の「均一に散布」を包括しているというべきである。
　さらに、上記多数の突起の形成につき、第１引用例に記載の発明が「貼り付け」によって行うというくだりも存するところ（第１頁右欄１３〜１４行）、この「貼り付け」は、概ね接着剤にて遂行されるところ、普通に知悉されたホットメルト接着剤｛「ホットメルト接着剤」は、普通に知られている（例えば、昭和３７年３月３０日　日刊工業新聞社発行「接着技術便覧」第６３〜６４頁”熱溶融型”の項、第６７〜６８頁”熱可塑性接着剤”の項　参照）｝で接着することも包括の限りといってしかるべきである（斯かる突起の形成は、加温下でなされ、接着も加熱下で実践されるから、加熱定着を、含意することは当然である）。
　以上のとおりであるから、第１引用例には、本件訂正後の【請求項４】に係る発明の技術的構成要件との関連において、技術内容を抽出すると、            『通気性の収納袋内に空気の存在下で発熱する発熱性組成物が収容されており、前記収納袋の表面に、片面全部に滑り止め層が形成されており、該滑り止め層が、収納袋の素材の表面に粒状のホットメルト接着剤または軟質塩化ビニル樹脂を均一に散布し、熱を加えて定着せしめた多数の突起からなる使い捨てカイロ。』が、開示されていると捉えられ、斯かる点で第１引用例に記載の発明と本件訂正後の【請求項４】に係る発明とが一致しているというべきである。
　しかして、本件訂正後の【請求項４】に係る発明と第１引用例に記載の発明とは、先に本件訂正後の【請求項１】に係る発明と同様の相違点となるものであるから、
　本件訂正後の【請求項１】に係る発明についての容易に想到し得る判断（進歩性の判断）の審案過程の内容がそのまま、本件訂正後の【請求項４】に係る発明についてもあてはまるものである。
　つまり、本件訂正後の【請求項４】に係る発明は、この出願前日本国内において頒布された刊行物である第１〜第３の各引用例、第５引用例及び第６引用例に記載された発明に基づいて、当業者が、容易に想到することができたものというべきである。
ｅ）　本件訂正後の【請求項５】に係る発明について
　本件訂正後の【請求項５】に係る発明は、前記訂正後の【請求項４】に係る発明の収納袋の素材と構成を訂正後の【請求項２】に係る発明の如く特定したものである。
　しかるときは、本件訂正後の【請求項５】に係る発明は、前記訂正後の【請求項２】に係る発明及び訂正後の【請求項４】に係る発明に関する審案過程で審案した内容の組み合わせでしかなく、斯かる点に、格別の有意性は存せず、前記訂正後の【請求項２】に係る発明に関して引き合いに出した引用例即ち第４引用例が、そのまま本件訂正後の【請求項５】に係る発明についても、等しく引用されてしかるべきものである。
　したがって、本件訂正請求後の【請求項５】に係る発明は、この出願前日本国内において頒布された刊行物である前記第１〜第６の各引用例に記載された発明に基づいて、当業者が、容易に想到することを得たものというべきである。
ｆ）　本件訂正後の【請求項６】に係る発明について
  最後に、本件訂正後の【請求項６】に係る発明は、前記本件訂正後の【請求項４】に係る発明の収納袋の素材と構成を訂正後の【請求項３】に係る発明の如く特定するものである。
　しかしながら、斯かる技術的構成要件は、既に本件訂正後の【請求項３】に係る発明に於ける審案過程で審案したとおりであり、前記審案事項が、この訂正後の【請求項６】に係る発明に対しても、基本的にあてはまるものといってしかるべきである。
　なぜならば、本件訂正後の【請求項４】に係る発明が、更に訂正後の【請求項３】に係る発明の特徴をも介入したものの、
　何れの技術も、即ち、滑り止め層の形成につき多数の突起からなるとなし、且つ該滑り止め層の形成面を所期の合成樹脂フィルム・織布等の積層体とするとなしたことは、斯界において普通に行われていることに鑑み、当業者の予測を越える創作力を要しないものというべきであるからである。
　したがって、結局、本件訂正後の【請求項６】に係る発明は、この出願前日本国内において頒布された刊行物である前記第１〜第６の各引用例に記載された発明に基づいて当業者が容易に想到することができたものというべきである。
５．  上記のとおり、本件訂正請求後の【請求項１〜６】に係る発明について、悉く、特許法第２９条第２項の規定により、出願の際、独立して特許を受けることを得ないものといわざるを得ないものであるところ、本件訂正請求は、特許法第１２０条の４第３項の規定において準用する同法第１２６条第４項の規定に適合しないものであるから、容認することができないものと断ずる外はない。
６． 　以上のとおり、前掲訂正請求が、法的に認容されないものであるところ、本件異議事件は、特許時の特許請求の範囲【請求項１〜６】に係る発明につき受けた特許が、取消請求の審案対象となるものというべきである。
７．　異議申立人の主張
　本件特許異議申立人　株式会社ニッテツ・ファイン・プロダクツは、
　本件特許の請求項１〜６に係る各発明は、甲第１〜４号証に記載された発明に基づいて、当業者が容易に発明をすることができたものに過ぎないから特許法第２９条第２項の規定に該当し、本件各発明につき受けた特許は、特許法第１１３条第２号の規定により取り消されるべきものである
旨主張しつつ、以下の証拠を提出している。
１）　甲第１号証刊行物（第１引用例）
２）　甲第２号証刊行物（第２引用例）
３）　甲第３号証刊行物（第３引用例）
４）　甲第４号証刊行物（第４引用例）
８．　特許異議申立に対する当審の判断
　本件特許時の特許請求の範囲【請求項１〜６】に係る発明は、以下のとおりである。
『【請求項１】通気性の収納袋内に空気の存在下で発熱する発熱性組成物が収容されており、前記収納袋が気密性袋内に封入されてなる履物用使い捨てカイロであって、前記収納袋の少なくとも一部に滑り止め層が形成されており、該滑り止め層が、収納袋の素材の表面に樹脂やエラストマーの溶液または分散液、あるいはプラスチゾルを水玉模様に塗布し、乾燥させたものからなることを特徴とする履物用使い捨てカイロ。
　【請求項２】　前記収納袋のうち滑り止め層が形成される面が、ポリエステル、ナイロン、ポリエチレンまたはポリプロピレン製のフィルムからなり、該フィルム上に、滑り止め層が形成されてなる請求項１記載の履物用使い捨てカイロ。
　【請求項３】　前記収納袋のうち滑り止め層が形成される面が、ポリエステル、ポリエチレンまたはポリプロピレン製のフィルムと織布、不織布または紙との積層体からなり、収納袋の外側層となる前記織布、不織布または紙に、滑り止め層が形成されてなる請求項１記載の履物用使い捨てカイロ。
　【請求項４】　通気性の収納袋内に空気の存在下で発熱する発熱性組成物が収容されており、前記収納袋が気密性袋内に封入されてなる履物用使い捨てカイロであって、前記収納袋の少なくとも一部に滑り止め層が形成されており、該滑り止め層が、収納袋の素材の表面に粒状のホットメルト接着剤または軟質塩化ビニル樹脂を均一に散布し、熱を加えて定着せしめた多数の突起からなることを特徴とする履物用使い捨てカイロ。
 　【請求項５】　前記収納袋のうち滑り止め層が形成される面が、ポリエステル、ナイロン、ポリエチレンまたはポリプロピレン製のフィルムからなり、該フィルム上に、滑り止め層が形成されてなる請求項４記載の履物用使い捨てカイロ。
　【請求項６】　前記収納袋のうち滑り止め層が形成される面が、ポリエステル、ポリエチレンまたはポリプロピレン製のフィルムと織布、不織布または紙との積層体からなり、収納袋の外側層となる前記織布、不織布または紙に、滑り止め層が形成されてなる請求項４記載の履物用使い捨てカイロ。』
　斯様に、本件【請求項１〜６】に係る発明は、前記訂正請求後の【請求項１〜６】に係る発明中に内含されているものであるところ、先の、訂正後の【請求項１〜６】に係る発明に関する所謂独立特許要件性（特許法第１２６条第４項に規定する要件）の審案過程で審示した内容は、本件【請求項１〜６】に係る発明についても、基本的に当てはまるものというべきである。
　したがって、先に挙示した第１、第２、第３、第４の各引用例は、そのまま、ここでの審案において引用に供されるものであり、当然のことながら引用箇所も悉く一致するものであるところ重複するので繰り返さない。
１）　【請求項１】に係る発明について
　最初に、【請求項１】に係る発明が、上記提出にかかる引用例に記載された発明に基づいて容易に想到することができたものであるか否かにつき審案する。
　【請求項１】に係る発明は、訂正後の【請求項１】に係る発明において、”「足の裏が当たる履物の内表面に接する片面全部に」（滑り止め層が形成されており、）”の特定に代えて、
”（収納袋の）「少なくとも一部に」滑り止め層が形成され”としたものであり、
　【請求項１】に係る発明は、
イ）　カイロを封入する気密性の袋を備えている点
ロ）　用途につき履物用と特定をした点
において、第１引用例に記載の発明と相違する。
　（なお、その余の構成要件は、悉く第１引用例に記載されていることは、前記訂正後の【請求項１】に係る発明の所謂独立特許要件性の審案過程で審示したとおりである。）
　しかし、既に審案したとおり、使い捨てカイロにおいて、該カイロを気密性外装袋内に封入することは、第２引用例に、上記カイロを履物用に供することについては、第３引用例に、それぞれ開示されているところである。
　結局、【請求項１】に係る発明は、前記第１、第２、第３の各引用例に記載された発明に基づいて、当業者が容易に想到することができたものであるというべきところ、特許法第２９条第２項の規定により、これにつき、特許を受けることを得ないものである。
２）　【請求項２】に係る発明について
　【請求項２】に係る発明についても、既に、前掲所謂独立特許要件性の審理過程において審案したとおりである。
  したがって、【請求項２】に係る発明は、前掲第１、第２、第３、第４の各引用例に記載された発明に基づいて、当業者が容易に想到することができたものというべきところ、特許法第２９条第２項の規定により、これにつき、特許を受けることを得ないものという外はない。
３）　【請求項３】に係る発明について
　【請求項３】に係る発明についても、既に、前掲所謂独立特許要件性の審理過程において審案したとおりである。
　それ故、【請求項３】に係る発明は、前掲第１、第２、第３、第４の各引用例に記載された発明に基づいて、当業者が容易に想到することができたものというべきところ、特許法第２９条第２項の規定により、これにつき、特許を受けることを得ないものという外はない。
４）　【請求項４】に係る発明について
 【請求項４】に係る発明は、上記【請求項１】に係る発明における滑り止め層の形成の手法が、
「（袋の素材の表面に）、粒状のホットメルト接着剤または軟質塩化ビニル樹脂を均一に散布し、熱を加えて定着せしめた多数の突起からなる」の点で、構成要件的特徴を有するものである。
　しかし、斯かる技術的事項が既に第１引用例自体において開示されていることは前述したとおりであるので、繰り返さない。
 その結果、【請求項４】に係る発明は、前掲第１、第２、第３の各引用例に記載された発明に基づいて当業者が容易に想到することができたものと認められるので、特許法第２９条第２項の規定により、これにつき、特許を受けることを得ないものという外はない。
５）　【請求項５】に係る発明について
 【請求項５】に係る発明は、上記【請求項４】に係る発明の滑り止め層の形成面につき、【請求項２】に係る発明と同様の素材と構成に特定するものである。
　したがって、【請求項５】に係る発明は、前掲第１、第２、第３、第４の各引用例に記載された発明に基づいて当業者が容易に想到することができたものというべきであるところ、特許法第２９条第２項の規定により、これにつき、特許を受けることを得ないものという外はない。
６）　【請求項６】に係る発明について
　最後に、【請求項６】に係る発明は、
　”上記【請求項４】に係る発明において、収納袋の滑り止め層形成面を、
上記【請求項３】に係る発明と同様の素材と構成に特定するものである。
　したがって、【請求項６】に係る発明につき、既に、前掲【請求項３】及び【請求項４】に係る発明についての審案過程において審示したとおりの内容が当てはまるものである。
　つまり、【請求項６】に係る発明は、【請求項４】に係る発明と【請求項３】に係る発明を兼備する内容のものということができよう。
　しかしながら、【請求項６】に係る発明が、上記両請求項に係る発明を結びつけた点は、当業者予測可能性の範域を出ず、結びつきに伴う格別の相乗効果は見いだされない。
　それ故、本件【請求項６】に係る発明は、前掲第１、第２、第３、第４の各引用例に記載された発明に基づいて、当業者が容易に想到することができたものであるというべきところ、特許法第２９条第２項の規定により、これにつき、特許を受けることを得ないものという外はない。
９．　結語　
　　以上のとおりであるところ、本件の【請求項１〜６】に係る発明につき受けた特許は、いずれも、特許法第２９条第２項の規定に違反してされたものであるから、同法第１１３条第２号の規定の趣意に則り、全て、取り消しを免れない。
    よって、結論のとおり決定する。
【異議決定日】
平成１２年１０月１０日（２０００．１０．１０）